(57)【要約】【課題】棚板への商品の陳列を容易なものとしながら、商品の温度調整効率を良好なものとすること。【解決手段】吹出口１２と吸込口１１とを通じて、商品陳列室２の内部と外部との間で空気を循環させる空気循環手段３と、空気循環手段３により循環させられる空気を冷却する蒸発器４とを備え、商品陳列室２に陳列された商品を冷却するショーケースにおいて、商品陳列室２の底部を構成するデッキパン２５は、上面が商品を載置するための載置面を構成し、かつ前後方向に沿ってスライド移動可能な棚板２５１と、棚板２５１の上面よりも上方に突出する態様で設けられ、かつ棚板２５１とともにスライド移動可能なフェンス２５２と、棚板２５１とフェンス２５２との間に形成され、かつ棚板２５１が最も後方側に位置する場合に吸込口１１に連通する通風孔２５３とを備えたものである。【選択図】図１
2015116202.tif 000002
【特許請求の範囲】
【請求項１】
前面に形成された前面開口を臨む商品陳列室の内部に空気を吹き出すための吹出口と、前記商品陳列室の内部の空気を吸い込むための吸込口とを通じて、前記商品陳列室の内部と外部との間で空気を循環させる空気循環手段と、
前記空気循環手段により循環させられる空気を所定の温度に調整する温度調整手段と
を備え、
前記商品陳列室に陳列された商品を所望の温度状態に保持するようにしたショーケースにおいて、
前記商品陳列室の底部を構成するデッキパンは、
上面が商品を載置するための載置面を構成し、かつ前後方向に沿ってスライド移動可能な棚板と、
前記棚板の上面よりも上方に突出する態様で設けられ、かつ前記棚板とともにスライド移動可能なフェンスと、
前記棚板と前記フェンスとの間に形成され、かつ前記棚板が最も後方側に位置する場合に前記吸込口に連通する通風孔と
を備えたことを特徴とするショーケース。
【請求項２】
前面に形成された前面開口を臨む商品陳列室の内部に空気を吹き出すための吹出口と、前記商品陳列室の内部の空気を吸い込むための吸込口とを通じて、前記商品陳列室の内部と外部との間で空気を循環させる空気循環手段と、
前記空気循環手段により循環させられる空気を所定の温度に調整する温度調整手段と
を備え、
前記商品陳列室に陳列された商品を所望の温度状態に保持するようにしたショーケースにおいて、
前記商品陳列室の底部を構成するデッキパンは、上面が商品を載置するための載置面を構成し、かつ前後方向に沿ってスライド移動可能な棚板を備えてなり、
前記吸込口の前方側において起立姿勢と横倒姿勢との間で自身の軸状部の軸心回りに揺動可能に配設され、起立姿勢となる場合には前記棚板の上面よりも上方に突出する一方、横倒姿勢となる場合には前記棚板が前方に向けてスライド移動することを許容するフェンスを備えたことを特徴とするショーケース。
【発明の詳細な説明】
【技術分野】
【０００１】
本発明は、ショーケースに関し、より詳細には、例えばオープンショーケース等のように、前面が開口した商品陳列室に陳列させた商品を所望の温度状態に保持するようにしたショーケースに関するものである。
【背景技術】
【０００２】
従来、前面に前面開口が形成されたケース本体の商品陳列室の内部に商品陳列棚が複数段設けられ、各商品陳列棚に商品が陳列されたオープンショーケースと称されるショーケースが知られている。
【０００３】
このようなショーケースでは、ケース本体内であって商品陳列室外となる個所に、商品陳列室に設けられた吸込口を通じて吸い込んだ商品陳列室の内部空気の通路が形成されており、この空気通路には蒸発器が配設されている。該空気通路を通過する空気は、蒸発器で冷却され、その後に商品陳列室の上部に設けられた吹出口より吹き出される。吹出口から吹き出された空気が吸込口に吸い込まれて循環することにより、商品陳列室の前面開口近傍に冷気のエアカーテンが形成され、商品陳列棚に陳列された商品が所望の温度に冷却されて保持される。
【０００４】
また、上記ショーケースにおいては、商品陳列室の底部を構成するデッキパンが設けられており、デッキパンの上面にも商品陳列棚と同様に商品が載置されて陳列されている。このデッキパンは、上記吸込口の後方側に位置しており、上面に陳列された商品も上記冷気のエアカーテン等により所望の温度に冷却されている。
【０００５】
そして、デッキパンへの商品の陳列を比較的容易なものとするために、デッキパンを前方に引き出すことが可能なショーケースが提案されている（例えば、特許文献１参照）。
【先行技術文献】
【特許文献】
【０００６】
【特許文献１】特開２００４−２７５３４１号公報
【発明の概要】
【発明が解決しようとする課題】
【０００７】
ところが、ショーケースにおいては、吸込口の前方側にフェンスが設けられているのが一般的である。そのため、上述したショーケースのようにデッキパンが前方に引き出し可能なものであると、引き出し操作を行う度にフェンスを取り外さなければならず、引き出し操作が煩わしいものとなっていた。またフェンスを予め取り除いておくことも考えられるが、それではエアカーテンを形成する空気が吸込口の前方域に流れてしまい、冷気が漏れてしまういわゆるコールドアイルが生ずることとなり好ましくない。
【０００８】
本発明は、上記実情に鑑みて、棚板への商品の陳列を容易なものとしながら、商品の温度調整効率を良好なものとすることができるショーケースを提供することを目的とする。
【課題を解決するための手段】
【０００９】
上記目的を達成するために、本発明に係るショーケースは、前面に形成された前面開口を臨む商品陳列室の内部に空気を吹き出すための吹出口と、前記商品陳列室の内部の空気を吸い込むための吸込口とを通じて、前記商品陳列室の内部と外部との間で空気を循環させる空気循環手段と、前記空気循環手段により循環させられる空気を所定の温度に調整する温度調整手段とを備え、前記商品陳列室に陳列された商品を所望の温度状態に保持するようにしたショーケースにおいて、前記商品陳列室の底部を構成するデッキパンは、上面が商品を載置するための載置面を構成し、かつ前後方向に沿ってスライド移動可能な棚板と、前記棚板の上面よりも上方に突出する態様で設けられ、かつ前記棚板とともにスライド移動可能なフェンスと、前記棚板と前記フェンスとの間に形成され、かつ前記棚板が最も後方側に位置する場合に前記吸込口に連通する通風孔とを備えたことを特徴とする。
【００１０】
また、本発明に係るショーケースは、前面に形成された前面開口を臨む商品陳列室の内部に空気を吹き出すための吹出口と、前記商品陳列室の内部の空気を吸い込むための吸込口とを通じて、前記商品陳列室の内部と外部との間で空気を循環させる空気循環手段と、前記空気循環手段により循環させられる空気を所定の温度に調整する温度調整手段とを備え、前記商品陳列室に陳列された商品を所望の温度状態に保持するようにしたショーケースにおいて、前記商品陳列室の底部を構成するデッキパンは、上面が商品を載置するための載置面を構成し、かつ前後方向に沿ってスライド移動可能な棚板を備えてなり、前記吸込口の前方側において起立姿勢と横倒姿勢との間で自身の軸状部の軸心回りに揺動可能に配設され、起立姿勢となる場合には前記棚板の上面よりも上方に突出する一方、横倒姿勢となる場合には前記棚板が前方に向けてスライド移動することを許容するフェンスを備えたことを特徴とする。
【発明の効果】
【００１１】
本発明によれば、商品陳列室の底部を構成するデッキパンは、上面が商品を載置するための載置面を構成し、かつ前後方向に沿ってスライド移動可能な棚板と、棚板の上面よりも上方に突出する態様で設けられ、かつ棚板とともにスライド移動可能なフェンスと、棚板とフェンスとの間に形成され、かつ棚板が最も後方側に位置する場合に吸込口に連通する通風孔とを備えているので、通風孔に向けて流れる空気（冷気）が前方に向けて流れてしまうことを抑制し、これにより冷気等が漏れてしまうことを抑止して商品の温度調整効率を良好なものとすることができる。デッキパンに対して商品を補充して陳列する場合には、棚板を前方に向けてスライド移動させることで前面開口を貫通した状態にし、棚板に商品を補充して陳列させることができる。この場合において、フェンスは、棚板のスライド移動により棚板とともにスライド移動するので、従来のように棚板のスライド移動のためにフェンスを取り除く必要がなく、棚板への商品の陳列を容易なものとすることができる。従って、棚板への商品の陳列を容易なものとしながら、商品の温度調整効率を良好なものとすることができるという効果を奏する。
【００１２】
本発明によれば、フェンスが、吸込口の前方側において起立姿勢と横倒姿勢との間で自身の軸状部の軸心回りに揺動可能に配設され、起立姿勢となる場合には棚板の上面よりも上方に突出する一方、横倒姿勢となる場合には棚板が前方に向けてスライド移動することを許容するので、起立姿勢となる場合には吸込口に向けて流れる空気（冷気）が前方に向けて流れてしまうことを抑制し、これにより冷気等が漏れてしまうことを抑止して商品の温度調整効率を良好なものとすることができる。そして、横倒姿勢となる場合には棚板が前方に向けてスライド移動して前面開口を貫通した状態となり、棚板に商品を補充して陳列させることができる。このようにフェンスは、前方にスライド移動する棚板に押圧されて起立姿勢から横倒姿勢に揺動するので、従来のように棚板のスライド移動のためにフェンスを取り除く必要がなく、棚板への商品の陳列を容易なものとすることができる。従って、棚板への商品の陳列を容易なものとしながら、商品の温度調整効率を良好なものとすることができるという効果を奏する。
【図面の簡単な説明】
【００１３】
【図１】図１は、本発明の実施の形態１であるショーケースの内部構造を側方から見た場合を模式的に示す断面側面図である。
【図２】図２は、本発明の実施の形態１であるショーケースの内部構造を側方から見た場合を模式的に示す断面側面図であり、棚板が前方に向けてスライド移動した状態を示している。
【図３】図３は、本発明の実施の形態２であるショーケースの内部構造を側方から見た場合を模式的に示す断面側面図である。
【図４】図４は、本発明の実施の形態２であるショーケースの内部構造を側方から見た場合を模式的に示す断面側面図であり、棚板が前方に向けてスライド移動した状態を示している。
【発明を実施するための形態】
【００１４】
以下に添付図面を参照して、本発明に係るショーケースの好適な実施の形態について詳細に説明する。
【００１５】
＜実施の形態１＞
図１は、本発明の実施の形態１であるショーケースの内部構造を側方から見た場合を模式的に示す断面側面図である。ここで例示するショーケースは、ケース本体１を備えている。
【００１６】
ケース本体１は、前面に開口（以下、前面開口ともいう）１ａが形成された略直方状の断熱筐体であり、その内部には商品陳列室２が画成されているとともに、空気循環手段３が設けてある。
【００１７】
商品陳列室２は、上記前面開口１ａを臨む態様で画成された室であり、複数（図示の例では４つ）の商品陳列棚２１〜２４が上下方向に沿って複数段並べて配設してある。商品陳列棚２１〜２４は、それぞれ商品を載置して陳列するためのものである。かかる商品陳列室２にはデッキパン２５が配設されている。このデッキパン２５は、商品陳列室２の底部を構成するものである。かかるデッキパン２５についての説明は後述する。
【００１８】
空気循環手段３は、空気通路３０と循環ファンＦ１とを備えて構成してある。空気通路３０は、吸込口１１から吹出口１２に至る空気の通路である。ここに吸込口１１は、商品陳列室２の内部の空気を吸い込むための開口であり、商品陳列室２の左右方向に沿って延設された長尺状のものである。この吸込口１１は、商品陳列室２の下側前方縁部、すなわちケース本体１の前面開口１ａ近傍の下部に配設されている。
【００１９】
吹出口１２は、図示の例では２つ設けてあり、商品陳列室２の内部に空気を吹き出すための開口である。これら吹出口１２は、それぞれが商品陳列室２の左右方向に延設してあって、商品陳列室２の上側前方縁部、すなわちケース本体１の前面開口１ａ近傍の上部に前後に並設してある。
【００２０】
このような空気通路３０は、商品陳列室２の外部であってその下方にある下方ダクト３１と、商品陳列室２の外部であってその背面側にある背面ダクト３２と、商品陳列室２の外部であってその上方にある上方ダクト３３とを互いに連通した態様で構成してある。また、空気通路３０は、下方ダクト３１の途中から２つに分かれており、外方通路３０ａが一方の吹出口１２（以下、前側吹出口１２ａともいう）に通じ、内方通路３０ｂが他方の吹出口１２（以下、後側吹出口１２ｂともいう）に通じている。
【００２１】
循環ファンＦ１は、空気を循環させるものであり、下方ダクト３１の所定部位に配設してある。本実施の形態１においては、循環ファンＦ１は下方ダクト３１の所定部位に配設してあるが、本発明では、循環ファンの配設位置は特に限定されるものではなく、後述する循環ファンの機能を発揮することができる個所であればどこに配設しても構わない。
【００２２】
このような空気循環手段３においては、循環ファンＦ１が駆動することにより吸込口１１を通じて商品陳列室２の内部にある空気（内部空気）を吸い込み、吸い込んだ空気が空気通路３０を通過する態様で吹出口１２まで送出し、吹出口１２を通じて送出した空気を商品陳列室２の内部に吹き出すことにより、商品陳列室２の内部と外部との間で空気を循環させて、商品陳列室２の前面開口１ａ近傍にエアカーテンを形成するものである。
【００２３】
上記空気通路３０の内方通路３０ｂには、蒸発器（温度調整手段）４が設けてある。蒸発器４は、図示せぬ圧縮機や凝縮器及び膨張機構と冷媒管路で接続されて冷媒を循環させる冷凍サイクルを構成する。ここに圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２４】
蒸発器４は、循環ファンＦ１が駆動することにより内方通路３０ｂを下方から上方に向けて通過する空気と、膨張機構で断熱膨張させた冷媒とを熱交換させるもの、より詳細には、冷媒を蒸発させることにより内方通路３０ｂを通過する空気を冷却するものである。この蒸発器４で蒸発した冷媒は、再び圧縮機に戻り圧縮されることになる。
【００２５】
図１中の符号５及び６は、キャノピ及び蛍光灯（照明機器）である。キャノピ５は、ケース本体１の上端部より前方に突き出す態様で設けられており、その前端部には、表示部５ａが設けてある。また、キャノピ５の内部にはナイトカバーＮＣが巻回された態様で収納されている。ナイトカバーＮＣは、必要に応じて下方に引き出され、その下端部が前面開口１ａの下縁部の所定個所に係合されることで、前面開口１ａを閉塞するカバー体である。蛍光灯６は、商品陳列室２の内部及びショーケースの前方域の照明として機能するものであり、本実施の形態１ではケース本体１における吹出口１２の近傍に設けられている。
【００２６】
上記デッキパン２５は、棚板２５１と、フェンス２５２と、通風孔２５３とが一体的に形成されることで構成してある。
【００２７】
棚板２５１は、例えばステンレス等の金属製の板状体を屈曲等して構成したもので、上面が商品を載置するための載置面を構成している。このような棚板２５１は、左右方向が長手方向となる長尺状のもので、前端部及び左右両側端部が下方に屈曲されている。かかる棚板２５１は、ケース本体１において左右一対となる態様で設けられた固定金２６に対して図示せぬスライドレールを介してこれら固定金２６に跨るように配設してある。スライドレールは、従来公知のもので、固定金２６に取り付けられた固定レールと、ボール等の転動材を介して固定レールの延在方向に沿って移動可能な可動レールとを有しており、可動レールが棚板２５１に取り付けられている。従って、棚板２５１は、固定金２６に対して前後方向にスライド移動可能に設けてある。
【００２８】
フェンス２５２は、棚板２５１の前方側両側部より前方に向けて突出する左右一対の支持アーム２５４に支持されている。このフェンス２５２は、棚板２５１と同様に左右方向が長手方向となる長尺状のもので、棚板２５１の上面より上方に突出する態様で設けられている。
【００２９】
通風孔２５３は、棚板２５１と、フェンス２５２と、支持アーム２５４とに囲繞されることで形成された孔部である。この通風孔２５３は左右方向が長手方向となる長孔であり、図１に示すように、棚板２５１が最も後方側に位置する状態において吸込口１１の直上域に位置しており、該吸込口１１と連通するものである。
【００３０】
以上のような構成によるショーケースにおいては、棚板２５１が最も後方側に配置して通風孔２５３が吸込口１１の直上域に位置するようにした状態で、循環ファンＦ１及び圧縮機が駆動させると次のようになる。
【００３１】
循環ファンＦ１の駆動により、商品陳列室２の内部の空気は、通風孔２５３を通過してから吸込口１１を通じて吸い込まれ、下方ダクト３１を通過し、その途中から外方通路３０ａ及び内方通路３０ｂのいずれかに進入する。外方通路３０ａに進入した空気は、背面ダクト３２及び上方ダクト３３を通じて前側吹出口１２ａに至り、前側吹出口１２ａから吹き出される。この前側吹出口１２ａから吹き出された空気は、通風孔２５３に向かって流れることによりエアカーテンを形成し、前面開口１ａからの外気の侵入を遮断することになる。
【００３２】
一方、下方ダクト３１の途中から内方通路３０ｂに進入した空気は、蒸発器４を通過して冷却され、冷気となって背面ダクト３２及び上方ダクト３３を通過し、後側吹出口１２ｂより吹き出される。この後側吹出口１２ｂより吹き出される空気（冷気）は、通風孔２５３に向けて流れることによりエアカーテンを形成し、商品陳列室２の内部にある商品、すなわち商品陳列棚２１〜２４及びデッキパン２５（棚板２５１）に載置された商品を冷却することになる。
【００３３】
この場合において、通風孔２５３の前方側にはフェンス２５２が設けられているので、通風孔２５３に向けて流れる空気（冷気）が前方に向けて流れてしまうことを抑制し、これにより冷気が漏れてしまういわゆるコールドアイルの発生を抑止して商品の冷却効率（温度調整効率）を良好なものとすることができる。また、フェンス２５２により外気、特に冷凍サイクルの排熱により加熱された空気が吸込口１１に吸い込まれることを抑制することができる。
【００３４】
そして、デッキパン２５等に対して商品を補充して陳列する場合には、図２に示すように、棚板２５１を前方に向けてスライド移動させることで前面開口１ａを貫通した状態にし、棚板２５１に商品を補充して陳列させることができる。この場合において、フェンス２５２は通風孔２５３を介して棚板２５１に一体的に形成してあるので、棚板２５１のスライド移動によりフェンス２５２も一体的に前方にスライド移動することとなり、従来のように棚板のスライド移動のためにフェンスを取り除く必要がなく、棚板２５１への商品の陳列を容易なものとすることができる。
【００３５】
以上説明したように本発明の実施の形態１であるショーケースによれば、棚板２５１への商品の陳列を容易なものとしながら、商品の冷却効率を良好なものとすることができる。
【００３６】
＜実施の形態２＞
図３は、本発明の実施の形態２であるショーケースの内部構造を側方から見た場合を模式的に示す断面側面図である。ここで例示するショーケースは、ケース本体４１を備えている。
【００３７】
ケース本体４１は、前面に開口（以下、前面開口ともいう）４１ａが形成された略直方状の断熱筐体であり、その内部には商品陳列室４２が画成されているとともに、空気循環手段４３が設けてある。
【００３８】
商品陳列室４２は、上記前面開口４１ａを臨む態様で画成された室であり、複数（図示の例では４つ）の商品陳列棚６１〜６４が上下方向に沿って複数段並べて配設してある。商品陳列棚６１〜６４は、それぞれ商品を載置して陳列するためのものである。かかる商品陳列室４２にはデッキパン６５が配設されている。このデッキパン６５は、商品陳列室４２の底部を構成するものである。かかるデッキパン６５についての説明は後述する。
【００３９】
空気循環手段４３は、空気通路７０と循環ファンＦ２とを備えて構成してある。空気通路７０は、吸込口５１から吹出口５２に至る空気の通路である。ここに吸込口５１は、商品陳列室４２の内部の空気を吸い込むための開口であり、商品陳列室４２の左右方向に沿って延設された長尺状のものである。この吸込口５１は、商品陳列室４２の下側前方縁部、すなわちケース本体４１の前面開口４１ａ近傍の下部に配設されている。
【００４０】
吹出口５２は、図示の例では２つ設けてあり、商品陳列室４２の内部に空気を吹き出すための開口である。これら吹出口５２は、それぞれが商品陳列室４２の左右方向に延設してあって、商品陳列室４２の上側前方縁部、すなわちケース本体４１の前面開口４１ａ近傍の上部に前後に並設してある。
【００４１】
このような空気通路７０は、商品陳列室４２の外部であってその下方にある下方ダクト７１と、商品陳列室４２の外部であってその背面側にある背面ダクト７２と、商品陳列室４２の外部であってその上方にある上方ダクト７３とを互いに連通した態様で構成してある。また、空気通路７０は、下方ダクト７１の途中から２つに分かれており、外方通路７０ａが一方の吹出口５２（以下、前側吹出口５２ａともいう）に通じ、内方通路７０ｂが他方の吹出口５２（以下、後側吹出口５２ｂともいう）に通じている。
【００４２】
循環ファンＦ２は、空気を循環させるものであり、下方ダクト７１の所定部位に配設してある。本実施の形態２においては、循環ファンＦ２は下方ダクト７１の所定部位に配設してあるが、本発明では、循環ファンの配設位置は特に限定されるものではなく、後述する循環ファンの機能を発揮することができる個所であればどこに配設しても構わない。
【００４３】
このような空気循環手段４３においては、循環ファンＦ２が駆動することにより吸込口５１を通じて商品陳列室４２の内部にある空気（内部空気）を吸い込み、吸い込んだ空気が空気通路７０を通過する態様で吹出口５２まで送出し、吹出口５２を通じて送出した空気を商品陳列室４２の内部に吹き出すことにより、商品陳列室４２の内部と外部との間で空気を循環させて、商品陳列室４２の前面開口４１ａ近傍にエアカーテンを形成するものである。
【００４４】
上記空気通路７０の内方通路７０ｂには、蒸発器（温度調整手段）４４が設けてある。蒸発器４４は、図示せぬ圧縮機や凝縮器及び膨張機構と冷媒管路で接続されて冷媒を循環させる冷凍サイクルを構成する。ここに圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００４５】
蒸発器４４は、循環ファンＦ２が駆動することにより内方通路７０ｂを下方から上方に向けて通過する空気と、膨張機構で断熱膨張させた冷媒とを熱交換させるもの、より詳細には、冷媒を蒸発させることにより内方通路７０ｂを通過する空気を冷却するものである。この蒸発器４４で蒸発した冷媒は、再び圧縮機に戻り圧縮されることになる。
【００４６】
図３中の符号４５及び４６は、キャノピ及び蛍光灯（照明機器）である。キャノピ４５は、ケース本体４１の上端部より前方に突き出す態様で設けられており、その前端部には、表示部４５ａが設けてある。また、キャノピ４５の内部にはナイトカバーＮＣが巻回された態様で収納されている。ナイトカバーＮＣは、必要に応じて下方に引き出され、その下端部が前面開口４１ａの下縁部の所定個所に係合されることで、前面開口４１ａを閉塞するカバー体である。蛍光灯４６は、商品陳列室４２の内部及びショーケースの前方域の照明として機能するものであり、本実施の形態２ではケース本体４１における吹出口５２の近傍に設けられている。
【００４７】
このような構成のショーケースは、上記構成の他、デッキパン６５及びフェンス６６を備えている。
【００４８】
デッキパン６５は、棚板６５１を有している。棚板６５１は、例えばステンレス等の金属製の板状体を屈曲等して構成したもので、上面が商品を載置するための載置面を構成している。このような棚板６５１は、左右方向が長手方向となる長尺状のもので、前端部及び左右両側端部が下方に屈曲されている。かかる棚板６５１は、ケース本体４１において左右一対となる態様で設けられた固定金６７に対して図示せぬスライドレールを介してこれら固定金６７に跨るように配設してある。スライドレールは、従来公知のもので、固定金６７に取り付けられた固定レールと、ボール等の転動材を介して固定レールの延在方向に沿って移動可能な可動レールとを有しており、可動レールが棚板６５１に取り付けられている。従って、棚板６５１は、固定金６７に対して前後方向にスライド移動可能に設けてある。
【００４９】
フェンス６６は、吸込口５１の前方側に設けてあり、棚板６５１と同様に左右方向が長手方向となる長尺状のものである。このフェンス６６は、下端部に左右方向に沿って延在する長尺状の軸状部６６１を有しており、該軸状部６６１の軸心回りに揺動可能なものである。より詳細には、フェンス６６は、図３に示すように棚板６５１の上面より上方に突出する起立姿勢と、図４に示すように前方に向けて横倒しした横倒姿勢との間で揺動可能なものである。このようなフェンス６６は、軸状部６６１とケース本体４１との間に介装された図示せぬ付勢手段により常時起立姿勢となるように付勢されている。
【００５０】
以上のような構成によるショーケースにおいては、棚板６５１を最も後方側に配置した状態で、循環ファンＦ２及び圧縮機が駆動させると次のようになる。
【００５１】
循環ファンＦ２の駆動により、商品陳列室４２の内部の空気は、吸込口５１を通じて吸い込まれ、下方ダクト７１を通過し、その途中から外方通路７０ａ及び内方通路７０ｂのいずれかに進入する。外方通路７０ａに進入した空気は、背面ダクト７２及び上方ダクト７３を通じて前側吹出口５２ａに至り、前側吹出口５２ａから吹き出される。この前側吹出口５２ａから吹き出された空気は、吸込口５１に向かって流れることによりエアカーテンを形成し、前面開口４１ａからの外気の侵入を遮断することになる。
【００５２】
一方、下方ダクト７１の途中から内方通路７０ｂに進入した空気は、蒸発器４４を通過して冷却され、冷気となって背面ダクト７２及び上方ダクト７３を通過し、後側吹出口５２ｂより吹き出される。この後側吹出口５２ｂより吹き出される空気（冷気）は、吸込口５１に向けて流れることによりエアカーテンを形成し、商品陳列室４２の内部にある商品、すなわち商品陳列棚６１〜６４及びデッキパン６５に載置された商品を冷却することになる。
【００５３】
この場合において、吸込口５１の前方側にはフェンス６６が起立姿勢で設けられているので、吸込口５１に向けて流れる空気（冷気）が前方に向けて流れてしまうことを抑制し、これにより冷気が漏れてしまういわゆるコールドアイルの発生を抑止して商品の冷却効率（温度調整効率）を良好なものとすることができる。また、フェンス６６により外気、特に冷凍サイクルの排熱により加熱された空気が吸込口５１に吸い込まれることを抑制することができる。
【００５４】
そして、デッキパン６５等に対して商品を補充して陳列する場合には、図４に示すように、棚板６５１を前方に向けてスライド移動させる。これによりフェンス６６は、棚板６５１に当接されて押圧されることで付勢手段の付勢力に抗して前方に向けて揺動して横倒姿勢となり棚板６５１のスライド移動を許容する。この結果、棚板６５１が前方に向けてスライド移動して前面開口４１ａを貫通した状態となり、棚板６５１に商品を補充して陳列させることができる。このようにフェンス６６は、前方にスライド移動する棚板６５１に押圧されて起立姿勢から横倒姿勢に揺動するので、棚板６５１のスライド移動のためにフェンス６６を取り除く必要がなく、棚板６５１への商品の陳列を容易なものとすることができる。
【００５５】
以上説明したように本発明の実施の形態２であるショーケースによれば、棚板６５１への商品の陳列を容易なものとしながら、商品の冷却効率を良好なものとすることができる。
【００５６】
以上、本発明の好適な実施の形態１及び実施の形態２について説明したが、本発明はこれに限定されるものではなく、種々の変更を行うことができる。
【００５７】
上述した実施の形態１及び２では、蒸発器４，４４が温度調整手段の一例として説明したが、本発明における温度調整手段は、商品陳列室の空気を冷却するものに限られず、商品陳列室の空気を加熱するものであっても構わない。
【００５８】
上述した実施の形態１では、フェンス２５２が通風孔２５３を介して棚板２５１に一体的に形成してあったが、本発明においては、フェンスは、棚板の上面よりも上方に突出する態様で設けられて棚板とともにスライド移動可能であればよく、必ずしも棚板に一体的に形成されていなくてもよい。
【符号の説明】
【００５９】
１  ケース本体
１ａ  前面開口
２  商品陳列室
３  空気循環手段
４  蒸発器
１１  吸込口
１２  吹出口
２１  商品陳列棚
２２  商品陳列棚
２３  商品陳列棚
２４  商品陳列棚
２５  デッキパン
２５１  棚板
２５２  フェンス
２５３  通風孔
２５４  支持アーム
２６  固定金
３０  空気通路
３１  下方ダクト
３２  背面ダクト
３３  上方ダクト
４１  ケース本体
４１ａ  前面開口
４２  商品陳列室
４３  空気循環手段
４４  蒸発器
５１  吸込口
５２  吹出口
６１  商品陳列棚
６２  商品陳列棚
６３  商品陳列棚
６４  商品陳列棚
６５  デッキパン
６５１  棚板
６６  フェンス
６６１  軸状部
６７  固定金
７０  空気通路
７１  下方ダクト
７２  背面ダクト
７３  上方ダクト
Ｆ１  循環ファン
Ｆ２  循環ファン
ＮＣ  ナイトカバー
【図１】
2015116202.tif 000003
【図２】
2015116202.tif 000004
【図３】
2015116202.tif 000005
【図４】
2015116202.tif 000006